(57)【要約】      （修正有）【課題】衣類ハンガーの分野一般に関し、さらに詳しくは、ワイヤフックを有するハンガーに使用するサイドサイザに関し、望ましい外観を提供する。【解決手段】衣類ハンガー用のサイドサイザ１０は、ハンガーのワイヤフックに係合ように形成した帯部１６を備えるカラー部１２と、カラー部１２に揺動可能に接続された表示部１４とを有する。表示部１４は、ハンガーに係合して表示部１４を保持する手段を有する。サイドサイザ１０は、ハンガーに吊下した商品に関する情報を表示する。【選択図】図１
2006297065.tif 000002
【特許請求の範囲】
【請求項１】
ハンガーのフックに係合するように形成した帯部を有するカラー部と、
前記カラー部に揺動可能に接続された表示部であって、前記ハンガーに係合した前記表示部を保持する手段を有する表示部とを含み、
前記ハンガーに吊下される商品の情報を表示する衣類ハンガー用のサイドサイザ。
【請求項２】
前記カラー部と前記表示部とは、揺動可能にヒンジで接続されている請求項１に記載のサイドサイザ。
【請求項３】
射出成型したプラスチックからなる請求項１に記載のサイドサイザ。
【請求項４】
前記射出成型したプラスチックは、ポリプロピレンおよびＫレジンからなる群から選択された請求項３に記載のサイドサイザ。
【請求項５】
前記カラー部と前記表示部とは、揺動可能にリビングヒンジで接続されている請求項３に記載のサイドサイザ。
【請求項６】
前記カラー部は棚部を有し、前記表示部は前記棚部に保持されている請求項１に記載のサイドサイザ。
【請求項７】
前記ハンガーに係合した前記表示部を保持する手段は、前記表示部の側面の保持タブからなる請求項１に記載のサイドサイザ。
【請求項８】
前記ハンガーに係合した前記表示部を保持する手段は、前記表示部の２つの側面の保持タブからなる請求項７に記載のサイドサイザ。
【請求項９】
前記保持タブは、内側表面および外側表面を有し、前記内側表面および前記外側表面の少なくともいずれか一方が横断基準線に対して角度を有する請求項７に記載のサイドサイザ。
【請求項１０】
前記保持する手段は、前記表示部の２つの側面の間の距離が係合するハンガーの寸法に予め設定されている請求項１に記載のサイドサイザ。
【請求項１１】
前記帯部は、ハンガーのフックを受け入れるために不連続である請求項１に記載のサイドサイザ。
【請求項１２】
前記カラー部は、略径方向内側に伸びる複数の突起を有する請求項１に記載のサイドサイザ。
【請求項１３】
回転可能ワイヤフックハンガーとサイドサイザの組合せであって、
前記回転可能ワイヤフックハンガーは、
本体を取り囲む本体フランジを有する本体と、
前記本体から前記本体フランジを超えて延伸する筒型突起と、
前記筒型突起と前記本体フランジとの間に延伸する支持フランジの対と、
前記筒型突起に受け入れられるワイヤフックとを含み、
前記サイドサイザは、
前記ハンガーのフックに係合するように形成した帯部を有するカラー部と、
前記カラー部に揺動可能に接続された表示部であって、前記ハンガーに係合した前記表示部を保持する手段を有する表示部とを含み、
前記ハンガーに吊下される商品の情報を表示する回転可能ワイヤフックハンガーとサイドサイザの組合せ。
【請求項１４】
前記カラー部と前記表示部とは、揺動可能にヒンジで接続されている請求項１３に記載の回転ワイヤフックハンガーとサイドサイザの組合せ。
【請求項１５】
射出成型したプラスチックからなる請求項１３に記載の回転ワイヤフックハンガーとサイドサイザの組合せ。
【請求項１６】
前記射出成型したプラスチックは、ポリプロピレンおよびＫレジンからなる群から選択された請求項１５に記載の回転ワイヤフックハンガーとサイドサイザの組合せ。
【請求項１７】
前記カラー部と前記表示部とは、揺動可能にリビングヒンジで接続されている請求項１５に記載の回転ワイヤフックハンガーとサイドサイザの組合せ。
【請求項１８】
前記カラー部は、棚部を有し前記表示部は、前記棚部に保持されている請求項１３に記載の回転ワイヤフックハンガーとサイドサイザの組合せ。
【請求項１９】
前記ハンガーに係合した前記表示部を保持する手段は、前記表示部の側面の保持タブからなる請求項１３に記載の回転ワイヤフックハンガーとサイドサイザの組合せ。
【請求項２０】
前記ハンガーに係合した前記表示部を保持する手段は、前記表示部の２つの側面の保持タブからなる請求項１９に記載の回転ワイヤフックハンガーとサイドサイザの組合せ。
【請求項２１】
前記保持タブは、内側表面および外側表面を有し、前記内側表面および前記外側表面の少なくともいずれか一方が横断基準線に対して角度を有する請求項１９に記載の回転ワイヤフックハンガーとサイドサイザの組合せ。
【請求項２２】
前記保持段は、前記表示部の２つの側面の間の距離が係合するハンガーの寸法に予め設定されている請求項１に記載の回転ワイヤフックハンガーとサイドサイザの組合せ。
【請求項２３】
前記帯部は、ハンガーのフックを受け入れるために不連続である請求項１３に記載の回転ワイヤフックハンガーとサイドサイザの組合せ。
【請求項２４】
前記カラー部は、略径方向内側に伸びる複数の突起を有する請求項１３に記載の回転ワイヤフックハンガーとサイドサイザの組合せ。
【発明の詳細な説明】
【技術分野】
【０００１】
本発明は、衣類ハンガーの分野一般に関し、さらに詳しくは、ワイヤフックを有するハンガーに使用するサイドサイザに関する。
【背景技術】
【０００２】
衣類の小売り販売において、Garment-On-Hanger（ＧＯＨ）プログラムが小売店に好まれるようになっている。ＧＯＨプログラムにおいて、衣類は、予めハンガーに吊下して小売業者に納入し、小売り場所に到着するとすぐ、販売のために展示することができる。従来、小売業者は、彼ら自身の費用で雇用した作業者により、この作業を遂行していた。
【０００３】
特に、小売業者は、販売フロアにおいて視覚的に心地よい一貫性を達成するために、特別なハンガー、または、いくつかの納入業者の間で特有なハンガーを特定していた。このため、ハンガーのサイズ、形状、機能的特徴などの標準規格が、例えば、米国産業間商取引標準化協会（ＶＩＣＳ：Voluntary Inter-industry Commerce Standards Association）のような組織によって整備されてきた。ある特に標準化されたハンガーの特徴は、いくつかのハンガーの型式に共通して極めて一般的であり、はっきり言うと、回転可能なワイヤフックがプラスチックハンガー取り付けてある。
【０００４】
さらに、ＧＯＨプログラムの普及に関連し、小売業者および彼らの顧客は、ハンガー自体がそれに掛けた商品についての情報を表示することを望んでいる。その情報の種類は、製造業者、材質および価格を含められるが、衣類では最も顕著なものとしてそのサイズを含む。これを達成するために、マーシャルらの米国特許第５８８４４２２号およびゴールドソンの米国特許得第６０１９２６０号に開示されているものを含めて、様々な手段が開発されており、中でも両特許は共通して本願に帰する。中でも、よく出回っているものは、前記特許の後者に開示されているタイプ、すなわち、フックとハンガー本体の交点の近傍のフックの片側に、ハンガーに固定され、適切には、サイドサイザタブ（side-sizer tabs）または単にサイドサイザ（side-sizers）、或いは、下部ネックサイザ（lower neck sizers）またはインジケータ（indicators）と呼ばれるものである。
【発明の開示】
【発明が解決しようとする課題】
【０００５】
しかしながら、従来公知のサイドサイザは、特別なインジケータを取り付けられるように特別に製造されたハンガーを必要とする。多様なインジケータは、広範に取付可能に、例えば、ハンガーのワイヤフックを取り囲むように作られ得る。これらは、一般に、ワイヤフックに長さ方向に摺動自在であり、通常、ハンガー本体に近接するフックのベース上に静止するようになる。しかしながら、これらのサイドサイザは、望ましい外観を提供することができない。
【課題を解決するための手段】
【０００６】
そこで、従来技術におけるこれらおよび他の欠点を克服するために、本発明によれば、ハンガーのフックに係合するように形成した帯部を備えるカラー部と、カラー部に揺動可能に接続した表示部とを有する衣類ハンガー用のサイドサイザを提供する。表示部は、ハンガーと係合して表示部を保持する手段を備える。サイドサイザは、ハンガーに吊下した商品に関する情報を表示する。
【０００７】
サイドサイザのさらなる実施形態は、射出成型したプラスチック、特に、ポリプロピレンまたはＫレジン（スチレンとブタジエンの共重合体）で一体的に形成され、その場合、カラー部と表示部とはリビングヒンジ（living hinge）で揺動可能に接続できる。
【０００８】
表示部は、表示部の側面に、ハンガーに係合して保持される表示タブを含むことができる。保持タブは、横断基準線に対して角度を有する内側表面および外側表面の少なくとも１つを有してもよい。代案または追加案として、表示部は、予め表示部の２つの側面の間の距離を係合するハンガーの寸法に合わせることで、ハンガーへの係合を維持する。
【発明を実施するための最良の形態】
【０００９】
本発明のこれらおよび他の特徴、局面および利点は、以下の説明および添付した図面を参照して明らかにする。いくつかの図を通して、同じ符号は同様の構成要素を示す。
【００１０】
図１を参照すると、斜視図において、本発明の例示的実施形態にかかるサイドサイザが全体を１０で示されている。サイドサイザ１０は、全体として、カラー部１２と表示部１４とからなっている。当業者はカラー部１２が少なくとも表示機能の一部を果たし得ると評価するであろう。
【００１１】
カラー部１２は、概略円筒形の帯部１６を有する。概略筒型の帯部１６は、図示する実施形態のように円形であっても、長方形、正方形、三角形、五角形などを限定でなく例として含む他の幾何学的筒型投影形状であってもよい。帯部１６は、ワイヤフックを受け入れてハンガーに取り付けやすくするための不連続部１８を有してもよい。カラー部１２は、また、複数の略径方向内側に伸びる突起２０を有する。突起２０は、互いの内側の端部において、ハンガーのワイヤフックと係合する。カラー部１２から外側に片側に延伸しているのは、表示部１４に接続されて表示部１４を支持する棚部２２である。
【００１２】
表示部１４は、カラー部１２に、ヒンジ２４を介して棚部２２に接続されている。より詳しくは、ヒンジ２４は、表示部１４および／またはカラー部１２と同じ材料で一体的に形成されたリビングヒンジであってもよい。代案として、表示部１４は、カラー部１２にいかなるヒンジ２５もなしに、意図する用途に好ましいように予め定めた角度で接続してもよい。
【００１３】
ここで、表示部１４の端面図を示す図２を参照する。断面形状は、中でも、概略Ｃ型（コの字型）と呼ばれるものとすることができるが、Ｎ型、Ｕ型、Ｖ型を含む異なる形状も同様に好ましい。例示の実施形態において、表示部１４は、断面形状がＣ型をなし、外面２６と、補助的な第１側面２８および第２側面３０とを有する。Ｎ型の実施形態における断面は、外面に比べて長い、小文字の「ｎ」に近似する側面を有すること以外、大部分において図示するＣ型と同様である。Ｕ型の実施形態では、外面２８を「ｕ」の丸めた部分で置き換えたものとなり、Ｖ型の実施形態では、外面を取り除いて２つの側面を交差させることになる。当業者には、表示部１４の形状が説明したものに限定されず、開示したものから異なる形状が想到されるであろう。いずれにせよ、表示部１４は、サイドサイザ１０を固定するハンガーに係合するために、少なくとも外面２６と略反対側の内側表面を開放できる。
【００１４】
ここで、図３を参照すると、１つの企図される具体的な適用例、すなわち、金属フックを有する金型成型したプラスチックハンガーにおける、サイドサイザ１０が示される。全体を４０で示したハンガー（切断して部分的に図示）は、ハンガー本体４４に（側方から見て）三角形または台形の補強材４６によって取り付けられた金属フック４２を有する。ハンガー４０全体および特に補強材４６は、１つ以上のフランジ４８を含む。図３に示す実施形態において、サイドサイザ１０ａは、棚部２２を省略し、表示部１４がカラー部１２に直接ヒンジ２４で接続されている。サイドサイザ１０ａは、また、側面２８，３０の一方または両方から内側に延伸する保持タブ５０を含む。保持タブ５０は、保持タブ５０の長さ、大きさまたは形状、或いは、補助的な面に保持タブ５０が存在するかどうかにさえも関係なく、側面２８または３０の長さに沿って、同じ広がりを有しても、断続的に設けてもよい。保持タブ５０は、側面２８または３０の内側表面、或いは、側面２８，３０の外面２６と反対側の端部に保持されてもよい。
【００１５】
再び図２を参照すると、保持タブ５０は、内側表面５２および外側表面５４を有し、いずれかまたは両方が横断基準線５６に対して傾斜していてもよい。図示した典型的な実施形態においては、保持タブ５０は、横断基準線５６に対して概略平坦な、脱離に対する抵抗を追加的な付与する外側表面５４を有する。内側表面５２は、横断基準線５６に対して急な傾斜をしており、フランジ４８と係合する場合に抵抗を低減し、係合を助ける。反対に、外側表面５４が下向きに傾斜していると、側面２８に接続した点より下にタブ５０の先端があると考えられ、脱離に対する抵抗が低減される。同様に、内側表面５２の上向きの傾斜を減少または無くすと、フランジ４８との係合に対する抵抗が増加する。
【００１６】
表示部１４がフランジ４８との係合を迫られると、保持タブ５０は、側面２８，３０のいずれかまたは両方を他方から遠ざけるように押し迫る。表示部１４への連続する内向きの圧力は、保持タブ５０をフランジ４８を超えて移動させ、側面２８，３０に加わる横方向の圧力を解除し、それらを元の形状に戻す。これにより、保持タブ５０は、フランジ４８と協動し、ハンガー４０、より詳しくは補強部材４６に係合させて表示部１４を保持する。代案または追加案として、継続的にフランジ４８に係合し、ハンガー４０に表示部１４を係合させて保持するように、側面２８，３０の間の距離を選択してもよい。
【００１７】
例示の実施形態において、サイドサイザ１０はプラスチック材料、より詳しくは射出成型した樹脂で一体的に形成されている。プラスチックは、カラー部１２と表示部１４との間で、ヒンジ２４がリビングヒンジとして揺動できるように、および、側面２８，３０がハンガーに係合するために弾性的に撓むことができるように柔軟であることができる。材料は、柔軟性があるというこの基準を満たすもの、限定ではないが、中でも、多様な種類のポリプロピレンおよび多様な種類のＫレジンを意図する。
【００１８】
ここで、図４を参照すると、斜視図に示されているのは、全体を１１０で示す本発明の代案の実施形態サイドサイザである。サイドサイザ１００は、概略、カラー部１１２および表示部１１４からなる。帯部１１６は、概略正方形筒型投影形状をなし、ワイヤフックを受け入れてハンガーに取り付けやすくするための不連続部１１８を有する。さらに、帯部１１６は、不連続部１１８の近傍に、ワイヤフックの挿入を案内する傾斜平面１１８ａ，１１８が設けられている。カラー部１１２は、また、複数の略径方向内側に伸びる突起１２０を有する。表示部１１４は、カラー部１１２に棚部１２２においてヒンジ１２４を介して接続されている。表示部１１４は、外面１２６と補助的な第１側面１２８および第２側面１３０を含む。保持タブ１５０は、側面１３０の内側から伸びている。サイドサイザ１００の機能は、先述の実施形態とほぼ同じであると理解される。
【００１９】
サイドサイザ１０，１００またはそれらのどの部分も、ハンガーに吊下する商品に対応して予め選択した如何なる情報も伝えるために構成することができる。表示する情報は、数字、文字または記号を含んでもよく、サイドサイザ１０および／またはそれに形成したもののいずれに付してもよい。代案または追加案として、サイドサイザ１０自身の色、サイズ、形状または有無を情報としてもよい。
【００２０】
本発明は、特定の例示的実施形態に関して説明した。本開示から当業者が想到するいつかの変更および／または改良は、本発明の精神および範囲から逸脱するものではない。これらの実施形態は、単に説明のために、限定としてではなく提供されたものであり、本発明の範囲は、専ら特許請求の範囲を参照して定められる。
【図面の簡単な説明】
【００２１】
【図１】本発明によるサイドサイザの斜視図。
【図２】図１の２−２線から見たサイドサイザの軸方向端面図。
【図３】本発明によるサイドサイザのさらなる実施形態がそれを取り付けるハンガーの近傍にある図。
【図４】本発明によるサイドサイザの代案となる実施形態を示す図。
【図１】
2006297065.tif 000003
【図２】
2006297065.tif 000004
【図３】
2006297065.tif 000005
【図４】
2006297065.tif 000006
【外国語明細書】
2006297065.tif 000007
2006297065.tif 000008
2006297065.tif 000009
2006297065.tif 000010
2006297065.tif 000011
2006297065.tif 000012
2006297065.tif 000013
2006297065.tif 000014
2006297065.tif 000015
2006297065.tif 000016
2006297065.tif 000017
2006297065.tif 000018
2006297065.tif 000019
2006297065.tif 000020
2006297065.tif 000021
2006297065.tif 000022
2006297065.tif 000023
2006297065.tif 000024
2006297065.tif 000025
2006297065.tif 000026
2006297065.tif 000027
2006297065.tif 000028